(57)【特許請求の範囲】
【請求項１】
記録媒体上に画像を形成するための画像データを生成する印刷制御装置であって、
同一カテゴリの表面効果であって、異なるタイプの表面効果が登録された表面効果選択テーブルを、記録媒体の表面状態に対応する記録媒体情報毎に記憶する第１の記憶部と、
前記記録媒体情報と、前記異なるタイプの表面効果に対するユーザの知覚結果に基づく各評価とを関連付けて記憶する第２の記憶部と、
前記画像データの出力対象とされる記録媒体に対応する、前記第２の記憶部に記憶される前記各評価に基づき、前記第１の記憶部に記憶される前記表面効果選択テーブルの、前記同一カテゴリの表面効果であって、前記異なるタイプの表面効果のうち、該評価が最も高いタイプの表面効果で、他のタイプの表面効果の置換を行う置換部と、
前記表面効果選択テーブルから選択した、前記置換部で置換された前記異なるタイプの表面効果のうち１と、記録媒体に対する表面効果の種類と該表面効果を付与する該記録媒体における領域とを特定する光沢制御板データとに基づいて前記画像データを生成する画像データ生成部と、
前記画像データ生成部で生成された前記画像データを出力する出力部と
を有する
ことを特徴とする印刷制御装置。
【請求項２】
前記表面効果選択テーブルは、同一カテゴリの表面効果であって且つ異なるタイプの表面効果が、複数カテゴリについて登録され、
前記置換部は、ユーザ設定に従い、前記カテゴリ毎に前記置換を行うか否かを判定する
ことを特徴とする請求項１に記載の印刷制御装置。
【請求項３】
記録媒体上に画像を形成するための画像データを生成する印刷制御システムであって、
同一カテゴリの表面効果であって、異なるタイプの表面効果が登録された表面効果選択テーブルを、記録媒体の表面状態に対応する記録媒体情報毎に記憶する第１の記憶部と、
前記記録媒体情報と、前記異なるタイプの表面効果に対するユーザの知覚結果に基づく各評価とを関連付けて記憶する第２の記憶部と、
前記画像データの出力対象とされる記録媒体に対応する、前記第２の記憶部に記憶される前記各評価に基づき、前記第１の記憶部に記憶される前記表面効果選択テーブルの、前記同一カテゴリの表面効果であって、前記異なるタイプの表面効果のうち、該評価が最も高いタイプの表面効果で、他のタイプの表面効果の置換を行う置換部と、
前記表面効果選択テーブルから選択した、前記置換部で置換された前記異なるタイプの表面効果のうち１と、記録媒体に対する表面効果の種類と該表面効果を付与する該記録媒体における領域とを特定する光沢制御板データとに基づいて前記画像データを生成する画像データ生成部と、
前記画像データ生成部で生成された前記画像データを出力する出力部と
を有する
ことを特徴とする印刷制御システム。
【請求項４】
記録媒体上に画像を形成するための画像データを生成する印刷制御方法であって、
第１の記憶部に記録媒体の表面状態に対応する記録媒体情報毎に記憶される、同一カテゴリの表面効果であって、異なるタイプの表面効果が登録された表面効果選択テーブルの該異なるタイプの表面効果の置換を、第２の記憶部に該記憶媒体情報と関連付けて記憶される、前記画像データの出力対象とされる記録媒体に対応する、該異なるタイプの表面効果に対するユーザの知覚結果に基づく評価が最も高いタイプの表面効果で、他のタイプの表面効果を置換することで行う置換ステップと、
前記表面効果選択テーブルから選択した、前記置換ステップにより置換された前記異なるタイプの表面効果のうち１と、記録媒体に対する表面効果の種類と該表面効果を付与する該記録媒体における領域とを特定する光沢制御板データとに基づいて前記画像データを生成する画像データ生成ステップと、
前記画像データ生成ステップにより生成された前記画像データを出力する出力ステップと
を有する
ことを特徴とする印刷制御方法。
【請求項５】
記録媒体上に画像を形成するための画像データを生成するコンピュータに実行させるためのプログラムであって、
第１の記憶部に記録媒体の表面状態に対応する記録媒体情報毎に記憶される、同一カテゴリの表面効果であって、異なるタイプの表面効果が登録された表面効果選択テーブルの該異なるタイプの表面効果の置換を、第２の記憶部に該記憶媒体情報と関連付けて記憶される、前記画像データの出力対象とされる記録媒体に対応する、該異なるタイプの表面効果に対するユーザの知覚結果に基づく評価が最も高いタイプの表面効果で、他のタイプの表面効果を置換することで行う置換ステップと、
前記表面効果選択テーブルから選択した、前記置換ステップにより置換された前記異なるタイプの表面効果のうち１と、記録媒体に対する表面効果の種類と該表面効果を付与する該記録媒体における領域とを特定する光沢制御板データとに基づいて前記画像データを生成する画像データ生成ステップと、
前記画像データ生成ステップにより生成された前記画像データを出力する出力ステップと
を前記コンピュータに実行させるためのプログラム。
【発明の詳細な説明】
【技術分野】
【０００１】
本発明は、印刷制御装置、印刷制御システム、印刷制御方法およびプログラムに関する。
【背景技術】
【０００２】
従来、Ｃ（シアン）、Ｍ（マゼンタ）、Ｙ（イエロー）、Ｋ（ブラック）の４色のトナーの他に、色材が入っていない無色のトナーであるクリアトナーを搭載した画像形成装置が存在する。このようなクリアトナーにより形成されたトナー像は、ＣＭＹＫのトナーにより画像が形成された転写紙等の記録媒体上に定着され、この結果記録媒体の面において視覚的な効果や触覚的な効果（以下、「表面効果」という）が実現される。
【０００３】
クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォーターマークをつけたりする表面効果も求められている。また、表面保護を求める場合もある。
【０００４】
また、定着制御のほか、グロッサや低温定着機などの専用の後処理機によって後処理を行うことで実現できる表面効果もある。近年では、例えば特許文献１に開示されているように、表面の一部の中でも望ましい部分にのみクリアトナーを付着させて光沢を与える技術が開発されている。
【０００５】
また、特許文献２には、表面の光沢度、平滑度、厚みなどの異なる用紙に対し、画像形成を行った場合に適切な光沢度の画像を出力する目的で、用紙の光沢度を測定し、光沢度に応じた定着温度の加熱条件を変更することで、適切な光沢度を得る画像を出力する画像形成装置が開示されている。
【発明の概要】
【発明が解決しようとする課題】
【０００６】
従来、ユーザは、意図する表面効果を得るために、表面効果処理の設定および表面効果の確認を行わなくてはならず、手間がかかる上、設定ミスを生じ易いという問題点があった。
【０００７】
本発明は、上記に鑑みてなされたものであって、ユーザが意図する表面効果を簡易に得ることを可能とすることを目的とする。
【課題を解決するための手段】
【０００８】
上述した課題を解決し、目的を達成するために、本発明は、記録媒体上に画像を形成するための画像データを生成する印刷制御装置であって、同一カテゴリの表面効果であって、異なるタイプの表面効果が登録された表面効果選択テーブルを、記録媒体の表面状態に対応する記録媒体情報毎に記憶する第１の記憶部と、記録媒体情報と、異なるタイプの表面効果に対するユーザの知覚結果に基づく各評価とを関連付けて記憶する第２の記憶部と、画像データの出力対象とされる記録媒体に対応する、第２の記憶部に記憶される各評価に基づき、第１の記憶部に記憶される表面効果選択テーブルの、同一カテゴリの表面効果であって、異なるタイプの表面効果のうち、評価が最も高いタイプの表面効果で、他のタイプの表面効果の置換を行う置換部と、表面効果選択テーブルから選択した、置換部で置換された異なるタイプの表面効果のうち１と、記録媒体に対する表面効果の種類と表面効果を付与する記録媒体における領域とを特定する光沢制御板データとに基づいて画像データを生成する画像データ生成部と、画像データ生成部で生成された画像データを出力する出力部とを有することを特徴とする。
【０００９】
また、本発明は、記録媒体上に画像を形成するための画像データを生成する印刷制御システムであって、同一カテゴリの表面効果であって、異なるタイプの表面効果が登録された表面効果選択テーブルを、記録媒体の表面状態に対応する記録媒体情報毎に記憶する第１の記憶部と、記録媒体情報と、異なるタイプの表面効果に対するユーザの知覚結果に基づく各評価とを関連付けて記憶する第２の記憶部と、画像データの出力対象とされる記録媒体に対応する、第２の記憶部に記憶される各評価に基づき、第１の記憶部に記憶される表面効果選択テーブルの、同一カテゴリの表面効果であって、異なるタイプの表面効果のうち、評価が最も高いタイプの表面効果で、他のタイプの表面効果の置換を行う置換部と、表面効果選択テーブルから選択した、置換部で置換された異なるタイプの表面効果のうち１と、記録媒体に対する表面効果の種類と表面効果を付与する記録媒体における領域とを特定する光沢制御板データとに基づいて画像データを生成する画像データ生成部と、画像データ生成部で生成された画像データを出力する出力部とを有することを特徴とする。
【００１０】
また、本発明は、記録媒体上に画像を形成するための画像データを生成する印刷制御方法であって、第１の記憶部に記録媒体の表面状態に対応する記録媒体情報毎に記憶される、同一カテゴリの表面効果であって、異なるタイプの表面効果が登録された表面効果選択テーブルの異なるタイプの表面効果の置換を、第２の記憶部に記憶媒体情報と関連付けて記憶される、画像データの出力対象とされる記録媒体に対応する、異なるタイプの表面効果に対するユーザの知覚結果に基づく評価が最も高いタイプの表面効果で、他のタイプの表面効果を置換することで行う置換ステップと、表面効果選択テーブルから選択した、置換ステップにより置換された異なるタイプの表面効果のうち１と、記録媒体に対する表面効果の種類と表面効果を付与する記録媒体における領域とを特定する光沢制御板データとに基づいて画像データを生成する画像データ生成ステップと、画像データ生成ステップにより生成された画像データを出力する出力ステップとを有することを特徴とする。
【００１１】
また、本発明は、記録媒体上に画像を形成するための画像データを生成するコンピュータに実行させるためのプログラムであって、第１の記憶部に記録媒体の表面状態に対応する記録媒体情報毎に記憶される、同一カテゴリの表面効果であって、異なるタイプの表面効果が登録された表面効果選択テーブルの異なるタイプの表面効果の置換を、第２の記憶部に記憶媒体情報と関連付けて記憶される、画像データの出力対象とされる記録媒体に対応する、異なるタイプの表面効果に対するユーザの知覚結果に基づく評価が最も高いタイプの表面効果で、他のタイプの表面効果を置換することで行う置換ステップと、表面効果選択テーブルから選択した、置換ステップにより置換された異なるタイプの表面効果のうち１と、記録媒体に対する表面効果の種類と表面効果を付与する記録媒体における領域とを特定する光沢制御板データとに基づいて画像データを生成する画像データ生成ステップと、画像データ生成ステップにより生成された画像データを出力する出力ステップとをコンピュータに実行させるためのプログラムである。
【発明の効果】
【００１２】
本発明によれば、ユーザが意図する表面効果を簡易に得ることが可能となるという効果を奏する。
【図面の簡単な説明】
【００１３】
【図１】図１は、実施形態に係る画像形成システムの構成を例示する図である。
【図２】図２は、有色版の画像データの一例を示す図である。
【図３】図３は、光沢の有無に関する表面効果の種類を例示する図である。
【図４】図４は、この光沢制御版の画像データをイメージとして示した図である。
【図５】図５は、クリア版の画像データの一例を示す図である。
【図６】図６は、濃度値選択テーブルの一例を示す図である。
【図７】図７は、光沢制御版の画像データにおいて、描画オブジェクト、座標、濃度値との対応関係を示す図である。
【図８】図８は、印刷データの構成例を概念的に示す模式図である。
【図９】図９は、ＤＦＥの機能的構成を例示する図である。
【図１０】図１０は、ＭＩＣおよび印刷装置の構成を概念的に例示する図である。
【図１１】図１１は、実施形態に適用可能なプリンタ機の機能的構成を示すブロック図である。
【図１２】図１２は、コート紙用の表面効果選択テーブルのデータ構成を例示する図である。
【図１３】図１３は、テストチャート印刷部により印刷されるテストチャートの例を示す略線図である。
【図１４】図１４は、操作パネルに表示される知覚効果入力画面の例を示す略線図である。
【図１５】図１５は、操作パネルに表示される、クリアトナー濃度値の置き換えを設定する設定画面の例を示す略線図である。
【図１６】図１６は、実施形態に係る画像形成システムが行う光沢制御処理の手順を示すフローチャートである。
【図１７】図１７は、表面効果選択テーブルの決定処理の手順を示すフローチャートである。
【図１８】図１８は、表面効果置換部の動作について説明するためのフローチャートである。
【発明を実施するための形態】
【００１４】
以下に添付図面を参照して、印刷制御装置、印刷制御システム、印刷制御方法およびプログラムの実施形態を詳細に説明する。
【００１５】
（実施形態に係る画像形成システム）
まず、実施形態に係る画像形成システムの構成について図１を用いて説明する。本実施形態においては、画像形成システムは、プリンタ制御装置（DFE:Digital  Front  End）１１（以下、「ＤＦＥ１１」という）と、インタフェースコントローラ(MIC:Mechanism  I/F  Contoroller)１２（以下、「ＭＩＣ１２」という）と、プリンタ機３１と、後処理機としてグロッサ３２および低温定着機３３とが接続されて構成される。ＤＦＥ１１は、ＭＩＣ１２を介してプリンタ機３１と通信を行い、プリンタ機３１での画像の形成を制御する。
【００１６】
また、ＤＦＥ１１には、ＰＣ(Personal  Computer)等のホスト装置１０が接続され、ＤＦＥ１１は、ホスト装置１０から画像データを受信して、当該画像データを用いて、プリンタ機３１がＣＭＹＫの各トナーおよびクリアトナーに応じたトナー像を形成するための画像データを生成してこれをＭＩＣ１２を介してプリンタ機３１に送信する。プリンタ機３１には、ＣＭＹＫの各トナーとクリアトナーとが少なくとも搭載されており、各トナーに対して感光体、帯電器、現像器および感光体クリーナを含む作像ユニット、露光器および定着機が各々搭載されている。
【００１７】
なお、プリンタ機３１と、グロッサ３２および低温定着機３３とで印刷装置３０を構成している。
【００１８】
ここで、クリアトナーとは、色材を含まない透明な（無色の）トナーである。なお、透明（無色）とは、例えば、透過率が７０％以上であることを示す。
【００１９】
プリンタ機３１は、ＭＩＣ１２を介してＤＦＥ１１から送信された画像データに応じて、露光器から光ビームを照射して各トナーに応じたトナー像を感光体上に形成して、これを記録媒体としての用紙に転写しこれを定着機によって所定の範囲内の温度（通常温度）での加熱および加圧で定着させる。これによって用紙に画像が形成される。このようなプリンタ機３１の構成については周知であるため、ここでその詳細な説明を省略する。なお、用紙は記録媒体の一例であり、記録媒体としてはこれに限定されるものではない。例えば、記録媒体として、合成紙やビニール紙等も適用することができる。
【００２０】
グロッサ３２は、ＤＦＥ１１から指定されるオンオフ情報によりオンまたはオフが制御され、オンにされた場合に、プリンタ機３１により用紙に形成された画像を高温および高圧で加圧し、その後、冷却して本体から画像が形成された用紙を剥離する。これにより用紙に形成された画像全体において所定以上のトナーが付着した各画素のトナーの総付着量は均一に圧縮される。
【００２１】
低温定着機３３には、クリアトナー用の感光体、帯電器、現像器および感光体クリーナを含む作像ユニット、露光器および当該クリアトナーを定着させるための定着機が搭載されており、低温定着機３３を用いるためにＤＦＥ１１が生成した後述のクリアトナー版の画像データ（以下、適宜、「クリアトナー版データ」と呼ぶ）が入力される。低温定着機３３は、当該低温定着機３３が用いるためのクリアトナー版データをＤＦＥ１１が生成した場合にはこれを用いてクリアトナーによるトナー像を形成して、グロッサ３２が加圧した用紙上に当該トナー像を重ねて、定着機によって通常よりも低い加熱または加圧で用紙に定着させる。
【００２２】
ここで、ホスト装置１０から入力される画像データ（原稿データ）について説明する。ホスト装置１０では、予めインストールされた画像処理アプリケーションにより画像データが生成されて、ＤＦＥ１１に送信される。このような画像処理アプリケーションでは、ＲＧＢ版やＣＭＹＫ版などの各色版における各色の濃度の値（濃度率という）を画素毎に規定した画像データに対して、特色版の画像データを取り扱うことが可能である。
【００２３】
特色版とは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版は色再現性を向上させるためにＣＭＹＫの基本カラーにＲを追加することや、ＲＧＢの基本カラーにＹを追加することもある。通常、クリアトナーも特色の１つとして取り扱われていた。
【００２４】
本実施形態では、この特色としてのクリアトナーを、用紙に付与する視覚的または触覚的な効果である表面効果を形成するため、ならびに、用紙に、上記表面効果以外のウォータマークやテクスチャ等の透明画像を形成するために用いる。
【００２５】
このため、ホスト装置１０の画像処理アプリケーションは、入力された画像データに対して、有色版の画像データ（以下、適宜、「有色版データ」と呼ぶ）の他、特色版の画像データとして、ユーザの指定により、光沢制御版の画像データ（以下、適宜、「光沢制御版データ」と呼ぶ）および／またはクリア版の画像データ（以下、適宜、「クリア版データ」と呼ぶ）とを生成する。
【００２６】
ここで、有色版データとは、画素毎にＲＧＢやＣＭＹＫ等の有色の濃度値を規定した画像データである。この有色版データでは、ユーザによる色の指定により、１画素を８ビットで表現される。図２は、有色版データの一例を示す説明図である。図２において、「Ａ」、「Ｂ」、「Ｃ」等の描画オブジェクト毎にユーザが画像処理アプリケーションで指定した色に対応する濃度値が付与される。
【００２７】
また、光沢制御版データとは、用紙に付与する視覚的または触覚的な効果である表面効果に応じたクリアトナーを付着させる制御を行うため、当該表面効果の与えられる領域および当該表面効果の種類を特定した画像データである。
【００２８】
この光沢制御版は、ＲＧＢやＣＭＹＫ等の有色版と同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータが無くとも必要に応じて画像データから容易に領域が特定できる。即ち、光沢制御版によって、表面効果の種類と、表面効果を与える領域とが表される（領域を表すデータを別途付与しても良い）。
【００２９】
ここで、ホスト装置１０は、ユーザが画像処理アプリケーションにより指定した描画オブジェクトに対する表面効果の種類を、描画オブジェクト毎に光沢制御値としての濃度値として設定してベクタ形式の光沢制御版データを生成する。
【００３０】
この光沢制御版データを構成する各画素は、有色版データの画素に対応する。なお、各画像データにおいては各画素の表す濃度値が画素値となる。また、有色版データおよび光沢制御版データは共にページ単位で構成される。
【００３１】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）の高い順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）およびつや消し（ＰＭ：Ｐｒｅｍｉｕｍ  Ｍａｔｔ）等の各種類がある。以降、適宜、鏡面光沢を「ＰＧ」、ベタ光沢を「Ｇ」、網点マットを「Ｍ」、つや消しを「ＰＭ」と呼ぶ。
【００３２】
鏡面光沢やベタ光沢は、光沢を与える度合いが高く、逆に、網点マットやつや消しは、光沢を抑えるためのものであり、特に、つや消しは、通常の用紙が有する光沢度より低い光沢度を実現するものである。図３中において、鏡面光沢はその光沢度Ｇｓが８０以上、べた光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。
【００３３】
このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。
【００３４】
なお、処理対象の画像データによって表される画像のどの領域に表面効果を与えるのかや、その領域にどの種類の表面効果を与えるのかについては、画像処理アプリケーションを介してユーザにより指定される。画像処理アプリケーションを実行するホスト装置１０では、ユーザにより指定された領域を構成する描画オブジェクトについて、ユーザが指定した表面効果に対応する濃度値がセットされることにより、光沢制御版データが生成される。濃度値と表面効果の種類との対応関係については後述する。
【００３５】
図４は、光沢制御版データの一例を示す説明図である。図４の光沢制御版の例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、各表面効果に設定された濃度値は、後述の濃度値選択テーブル（図６参照）で、表面効果の種類に対応して定められた濃度値である。
【００３６】
クリア版データとは、上記表面効果以外のウォータマークやテクスチャ等の透明画像を特定した画像データである。図５は、クリア版データの一例を示す説明図である。図５の例では、ユーザにより、ウォータマーク「Ｓａｌｅ」が指定されている。
【００３７】
このように、特色版の画像データである、光沢制御版データおよびクリア版データは、ホスト装置１０の画像処理アプリケーションにより、有色版データとは別のプレーンで生成される。また、有色版データ、光沢制御版データ、クリア版データの各形式は、ＰＤＦ（Portable  Document  Format）形式が用いられるが、各版のＰＤＦの画像データを統合して原稿データとして生成される。なお、各版の画像データのデータ形式は、ＰＤＦに限定されるものではなく、任意の形式を用いることができる。
【００３８】
ここで、ホスト装置１０の画像処理アプリケーションは、ユーザが指定した表面効果の種類を、濃度値に変換して、光沢制御版データを生成する。係る変換は、ホスト装置１０の記憶部に予め記憶された濃度値選択テーブルを参照して行われる。濃度値選択テーブルは、表面効果の種類と、当該表面効果の種類に対応する光沢制御版の濃度値とを対応付けたテーブルデータである。
【００３９】
図６は、濃度値選択テーブルの一例を示す図である。図６の例では、ユーザにより「ＰＧ」（鏡面光沢）が指定された領域に対応する光沢制御版の濃度値は「９８％」であり、「Ｇ」（ベタ光沢）が指定された領域に対応する光沢制御版の濃度値は「９０％」であり、「Ｍ」（網点マット）が指定された領域に対応する光沢制御版の濃度値は「１６％」であり、「ＰＭ」（つや消し）が指定された領域に対応する光沢制御版の濃度値は「６％」である。
【００４０】
この濃度値選択テーブルは、ＤＦＥ１１で記憶している表面効果選択テーブル（後述）の一部のデータであり、ホスト装置１０の制御部が所定のタイミングで表面効果選択テーブルを取得して、取得した表面効果選択テーブルから生成して記憶部に保存する。
【００４１】
なお、インターネット等のネットワーク上のストレージサーバ（ネットワーククラウド）に表面効果選択テーブルを保存しておき、ホスト装置１０の制御部が当該サーバから表面効果選択テーブルを取得して、取得した表面効果選択テーブルから濃度値選択テーブルを生成するように構成してもよい。ただし、ＤＦＥ１１で記憶している表面効果選択テーブルとホスト装置１０の図示されない記憶部に保存されている表面効果選択テーブルとは、同じデータである必要がある。
【００４２】
具体的には、ホスト装置１０の画像処理アプリケーションは、図６に示す濃度値選択テーブルを参照しながら、ユーザにより所定の表面効果が指定された描画オブジェクトの濃度値（光沢制御値）を、当該表面効果の種類に応じた値に設定することで、光沢制御版データを生成する。
【００４３】
例えばユーザにより、図２に示した有色版データである対象画像のうち、「ＡＢＣ」と表示される領域に「ＰＧ」、長方形の領域に「Ｇ」、円形の領域に「Ｍ」を与えることが指定された場合を想定する。この場合、ホスト装置１０は、濃度値選択テーブルを参照して、ユーザにより「ＰＧ」が指定された描画オブジェクト（「ＡＢＣ」）の濃度値を「９８％」に設定し、「Ｇ」が指定された描画オブジェクト（「長方形」）の濃度値を「９０％」に設定し、「Ｍ」が指定された描画オブジェクト（「円形」）の濃度値を「１６％」に設定することで、光沢制御版データを生成する。
【００４４】
ホスト装置１０で生成された光沢制御版データは、点の座標と、それを結ぶ線や面の方程式のパラメータ、および、塗り潰しや特殊効果などを示す描画オブジェクトの集合として表現されるベクター形式のデータである。図４は、この光沢制御版データをイメージとして示した図であり、図７は、図４の光沢制御版データにおいて、描画オブジェクト、座標、濃度値との対応関係の例を示す図である。
【００４５】
ホスト装置１０は、光沢制御版データと、対象画像の画像データ（有色版データ）と、クリア版データとを統合した原稿データを生成する。そして、ホスト装置１０は、この原稿データに基づいて印刷データを生成する。印刷データは、対象画像の画像データ（有色版データ）と、光沢制御版データと、クリア版データと、例えばプリンタの設定、集約の設定、両面の設定などをプリンタに対して指定するジョブコマンドとを含んで構成される。
【００４６】
図８は、印刷データの構成例を概念的に示す模式図である。図８の例では、ジョブコマンドとして、ＪＤＦ（Job  Definition  Format）が用いられているが、これに限られるものではない。図８に示すＪＤＦは、集約の設定として「片面印刷・ステープル有り」を指定するコマンドである。また、印刷データは、PostScriptのようなページ記述言語（ＰＤＬ）に変換されてもよいし、ＤＦＥ１１が対応していれば、ＰＤＦ形式のままでもよい。
【００４７】
（ＤＦＥの機能的構成例）
次に、ＤＦＥ１１の機能的構成について説明する。図９は、ＤＦＥ１１の一例の構成を示す。ＤＦＥ１１は、レンダリングエンジン５１と、ｓｉ１部５２と、ＴＲＣ(Tone  Reproduction  Curve)５３と、ｓｉ２部５４と、ハーフトーンエンジン５５と、クリアプロセッシング５６と、ｓｉ３部５７とを含む。
【００４８】
レンダリングエンジン５１と、ｓｉ１部５２と、ＴＲＣ５３と、ｓｉ２部５４と、ハーフトーンエンジン５５と、クリアプロセッシング５６と、ｓｉ３部５７とは、ＤＦＥ１１の制御部が主記憶部や補助記憶部に記憶されている各種プログラムを実行することにより実現されるものである。ｓｉ１部５２、ｓｉ２部５４およびｓｉ３部５７は、何れも、画像データを分離する(separate)機能と、画像データを統合する（integrate）機能とを有するものである。
【００４９】
レンダリングエンジン５１には、ホスト装置１０から送信された印刷データ（図８に示した印刷データ）が入力される。レンダリングエンジン５１は、入力された画像データを言語解釈して、ベクター形式で表現される画像データをラスタ形式に変換すると共に、ＲＧＢ形式等で表現された色空間をＣＭＹＫ形式の色空間に変換して、ＣＭＹＫの各８ビットの有色版データおよび８ビットの光沢制御版データを出力する。ｓｉ１部５２は、ＣＭＹＫの各８ビットの有色版データをＴＲＣ５３に出力し、８ビットの光沢制御版データをクリアプロセッシング５６に出力する。
【００５０】
ここで、ＤＦＥ１１は、ホスト装置１０から出力されたベクタ形式の光沢制御版データをラスタ形式の光沢制御版データに変換し、この結果、ＤＦＥ１１は、ユーザが画像処理アプリケーションにより指定した描画オブジェクトに対する表面効果の種類を、画素を単位として濃度値として設定して光沢制御版データを出力する。
【００５１】
ＴＲＣ５３には、ｓｉ１部５２を介してＣＭＹＫの各８ビットの画像データが入力される。ＴＲＣ５３には、入力された画像データに対してキャリブレーションにより生成された１Ｄ＿ＬＵＴのガンマカーブでガンマ補正を行う。画像処理としては、ガンマ補正の他にトナーの総量規制等がある。総量規制とは記録媒体上の１画素において、プリンタ機３１で乗せることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施形態では関連するガンマ補正のみを取り上げて説明している。
【００５２】
ｓｉ２部５４は、ＴＲＣ５３でガンマ補正されたＣＭＹＫの各８ビットの有色版データを、インバースマスクを生成するためのデータとしてクリアプロセッシング５６へ出力する。インバースマスクとは、表面効果を与える対象の領域を構成する各画素上のＣＭＹＫ各色のトナーおよびクリアトナーを合わせた総付着量が均一になるように知るために用いるマスクである。具体的には、ＣＭＹＫ各版の画像データにおいて当該対象の領域を構成する画素の表す濃度値を全て加算し、その加算値を所定値から差し引いた画像データがインバースマスクとなる。
【００５３】
ハーフトーンエンジン５５には、ｓｉ２部５４を介してガンマ補正後のＣＭＹＫの各８ビットの有色版データが入力される。ハーフトーンエンジン５５は、入力された画像データをプリンタ機３１に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００５４】
クリアプロセッシング５６には、レンダリングエンジン５１が変換した８ビットの光沢制御版データがｓｉ１部５２を介して入力されると共に、ＴＲＣ５３がガンマ補正を行ったＣＭＹＫの各８ビットの有色版データがｓｉ２部５４を介して入力される。
【００５５】
さらに、ＤＦＥ１１は、テストチャート印刷部５８と、光沢制御版データ記憶部５９とを含む。テストチャート印刷部５８は、クリアプロセッシング５６からの要求に応じて、クリアトナー版によるテストチャート印刷を制御する。光沢制御版データ記憶部５９は、テストチャート印刷部５８がテストチャートの印刷に用いる光沢制御版データのテストチャートデータが予め格納される。
【００５６】
さらにまた、ＤＦＥ１１は、実施形態に係るユーザインターフェイスに関する部分として、用紙表示部６０、表面効果選択テーブル表示部６１、アカウント入力部６２および知覚効果入力部６３を有する。用紙表示部６０、表面効果選択テーブル表示部６１、アカウント入力部６２および知覚効果入力部６３は、操作パネル７０に接続される。操作パネル７０は、例えば、ＬＣＤ(Liquid  Crystal  Display)などによる表示装置と、表示装置の表示面に透過するように設けられた、押圧した位置に応じた制御信号を出力するタッチセンサとを組み合わせて構成される、所謂タッチパネル構成とされている。
【００５７】
クリアプロセッシング５６は、表面効果選択テーブル記憶部５６１ち、光沢制御版記憶部５６２と、クリアトナー版制御部５６３と、表面効果選択テーブル生成部５６４と、用紙情報取得部５６５と、表面効果置換部５６６と、用紙情報比較部５６７とを含む。
【００５８】
表面効果選択テーブル記憶部５６１には、表面効果選択テーブルが用紙の種類毎に記憶される。詳細は後述するが、表面効果選択テーブルは、表面効果を示す光沢制御値である濃度値と、当該表面効果の種類の対応関係を示すテーブルである。表面効果選択テーブルは、さらに、これら濃度値および表面効果の種類と、画像形成システムの構成に応じた後処理機に関する制御情報と、プリンタ機３１で用いるクリアトナー版データおよび後処理機で用いるクリアトナー版データとの対応関係も示す。なお、表面効果の種類は、表面効果を用途別に分類したカテゴリと、カテゴリを細分化したタイプとに階層化されている。
【００５９】
光沢制御版記憶部５６２は、ｓｉ１部５２から入力された８ビットの光沢制御版データが記憶される。
【００６０】
クリアトナー版生成部５６３は、ｓｉ１部５２から入力され、光沢制御版記憶部５６２に記憶された光沢制御版データを用いて、詳細を後述する表面効果選択テーブルを参照して、光沢制御版データを構成する各画素の表す濃度値（画素値）に対する表面効果を判断する。
【００６１】
実施形態では、この表面効果選択テーブルの参照の際に、ユーザ評価による知覚効果の入力結果が、参照する表面効果選択テーブルに対して情報として存在する場合、表面効果置換部５６６が、同一カテゴリの全てのタイプの表面効果の濃度値を、当該カテゴリ内で最も効果の高いタイプの表面効果の濃度値に置換する。クリアトナー版制御部５６３は、この濃度値の置換された表面効果選択テーブルを参照して、上述の表面効果の判断を行う。
【００６２】
クリアトナー版生成部５６３は、表面効果の判断結果に応じて、グロッサ３２のオンまたはオフを決定すると共に、入力されたＣＭＹＫの各８ビットの有色版データを用いてインバースマスクやベタマスクを適宜生成することにより、クリアトナーを付着させるための２ビットのクリアトナー版データを適宜生成する。そして、クリアトナー版生成部５６３は、表面効果の判断の結果に応じて、プリンタ機３１で用いるクリアトナー版データと、低温定着機３３で用いるクリアトナー版データとを適宜生成してこれらを出力すると共に、グロッサ３２のオンまたはオフを示すオンオフ情報を出力する。
【００６３】
用紙情報取得部５６５は、ＭＩＣ１２を介してプリンタ機３１から、プリンタ機３１の印刷対象の用紙の用紙情報を取得し、取得した用紙情報を、表面効果選択テーブル決定部５６４へ出力する。ここで、用紙情報には、用紙種類と、用紙の光沢度と、用紙の凹凸情報とが含まれる。
【００６４】
実施形態に適用可能な用紙種類は、例えば「コート紙」、「普通紙」、「マット紙」の何れかであり、コート紙、普通紙、マット紙の順に光沢度が高い。なお、用紙種類の内容は一例であり、「コート紙」、「普通紙」、「マット紙」に限定されるものではない。用紙の光沢度は、「高光沢」、「中光沢」、「低光沢」の何れかが指定される。用紙の凹凸情報は、平滑度を意味し、「粗い」または「細かい」が指定される。
【００６５】
ここで、用紙種類と、用紙の光沢度と、用紙の凹凸情報とは、互いに関連がある。すなわち、用紙種類が「コート紙」の用紙は、光沢度が「高光沢」、凹凸情報（平滑度）が「細かい」となる。用紙種類が「普通紙」の用紙は、光沢度が「中光沢」、凹凸情報（平滑度）が指定なしとなる。となる。用紙種類が「マット紙」の用紙は、光沢度が「低光沢」、凹凸情報（平滑度）が「粗い」となる。したがって、光沢度と平滑度とが分かれば、用紙種類を求めることが可能である。
【００６６】
表面効果選択テーブル決定部５６４は、用紙情報取得部５６５で取得された用紙情報の用紙種類、あるいは、入出力制御部５６７から出力されたユーザが指定した用紙情報の用紙種類に対応する表面効果選択テーブルを、表面効果選択テーブル記憶部５６１の中から選択することにより、クリアトナー版データを生成するための表面効果選択テーブルを決定する。
【００６７】
より具体的には、表面効果選択テーブル決定部５６４は、用紙情報がユーザで指定されている場合、ユーザが指定した用紙情報を用いて、表面効果選択テーブルを選択する。一方、用紙情報がユーザで指定されていない場合、用紙情報取得部５６５により、ＭＩＣ１２を介してプリンタ機３１に対して用紙情報の取得要求を送信し、これに応答してプリンタ機３１から送信される用紙情報をＭＩＣ１２を介して受信する。そして、表面効果選択テーブル決定部５６４は、用紙情報取得部５６５で受信した用紙情報を用いて、表面効果選択テーブルを選択する。
【００６８】
ここで、用紙情報がユーザで指定されているか否かの判断は、ユーザが指定した用紙情報が例えば操作パネル７０から出力されているか否かを判断することにより行う。あるいは、操作パネル７０から出力された用紙情報を、一旦ＲＡＭ等のメモリ（図示しない）に格納しておき、表面効果選択テーブル決定部５６４が当該ＲＡＭにユーザから指定された用紙情報が記憶されているか否かを判断することにより、用紙情報がユーザで指定されているか否かを判断するように構成してもよい。
【００６９】
表面効果選択テーブル決定部５６４は、ＭＩＣ１２を介してプリンタ機３１に対して用紙情報の取得要求を送信する際、用紙情報の登録画面でユーザが指定した優先順位が最も高い用紙情報の要素を、プリンタ機３１に対して要求し、優先順位が最も高い用紙情報の要素を受信する。
【００７０】
表面効果選択テーブル決定部５６４は、用紙情報に用紙種類が含まれる場合には、当該用紙種類に対応する表面効果選択テーブルを選択する。一方、用紙情報に用紙種類が含まれていない場合には、上述したように、用紙情報に含まれる用紙の光沢度、あるいは用紙の凹凸情報に関連する用紙種類を決定し、当該用紙種類に対応する表面効果選択テーブルを選択する。
【００７１】
また、用紙情報に、用紙種類、用紙の光沢度、用紙の凹凸情報の全てが含まれる場合には、表面効果選択テーブル決定部５６４は、これら３つの要素のうち最も優先順位の高い要素を用いて、対応する表面効果選択テーブルを選択する。すなわち、表面効果選択テーブル決定部５６４は、最も高い優先順位の要素が用紙種類の場合には、これをそのまま用い、用紙の光沢度または用紙の凹凸情報が最も優先順位が高い場合には、当該要素に関連する用紙種類に対応する表面効果選択テーブルを選択する。
【００７２】
また、用紙情報に、用紙種類、用紙の光沢度、用紙の凹凸情報の何れか２つが含まれる場合には、表面効果選択テーブル決定部５６４は、これら２つの要素のうち優先順位の高い方の要素を用いて、対応する表面効果選択テーブルを選択する。
【００７３】
クリアプロセッシング５６のクリアトナー版生成部５６３は、上述のように、表面効果選択テーブル決定部５６４により選択された表面効果選択テーブルを参照して、光沢制御版データによって示される各画素値に対応付けられている表面効果を判断すると共に、グロッサ３２のオンまたはオフを判断して、プリンタ機３１および低温定着機３３でどのようなクリアトナー版データを用いるかを判断する。なお、クリアトナー版生成部５６３は、グロッサ３２のオンまたはオフの判断を１ページ毎に行う。そして、上述したように、クリアトナー版生成部５６３は、当該判断の結果に応じて、クリアトナー版データを適宜生成してこれを出力すると共に、グロッサ３２に対するオンオフ情報を出力する。これにより、用紙の種類に応じてユーザが意図した効果の光沢効果を有するクリアトナー版データが生成することになる。
【００７４】
用紙情報比較部５６７は、用紙情報取得部５６５で取得した用紙情報と、既存の用紙情報とを比較して、比較結果を用紙情報取得部５６５を介してクリアトナー版制御部５６３に通知する。既存の用紙情報とは、例えば、表面効果選択テーブル記憶部５６１が予め記憶している表面効果選択テーブルに対応する用紙種類であって、上述の例では、コート紙、普通紙およびマット紙の３種類である。クリアトナー版制御部５６３は、通知された用紙情報の比較結果が、用紙情報取得部５６５で取得した用紙情報が既存の用紙情報と一致しないことを示している場合に、表面効果選択テーブル生成部５６４に対して、取得した用紙情報に対応する表面効果選択テーブルの生成を依頼する。
【００７５】
表面効果選択テーブル生成部５６４は、クリアトナー版制御部５６３の依頼に応じて、表面効果選択テーブル生成のため、テストチャート印刷部５８に対してテストチャートの印刷を依頼する。
【００７６】
用紙表示部６０、表面効果選択テーブル表示部６１、アカウント入力部６２および知覚効果入力部６３は、それぞれ後述する知覚効果入力画面に関わる機能を実現する。用紙表示部６０は、ユーザからの表面効果入力に対する該当用紙名のを操作パネル７０に表示させる。表面効果選択テーブル表示部６１は、ユーザからの用紙情報の入力に対する該当表面効果選択テーブルを操作パネル７０に表示させる。
【００７７】
アカウント入力部６２は、操作パネル７０に対するユーザ操作による、ユーザのアカウント情報の入力や、アカウントの新規登録および切り替えを受け付ける。知覚効果入力部１１３は、操作パネル７０に対して後述する知覚効果入力画面を表示させると共に、操作パネル７０に対する知覚効果入力のユーザ操作を受け付ける。
【００７８】
図１を参照し、ＭＩＣ１２は、ＤＦＥ１１とプリンタ機３１とに接続される。ＭＩＣ１２は、後処理機として搭載されている装置構成を示す装置構成情報をＤＦＥ１１に出力する。また、ＭＩＣ１２は、色版の画像データ、クリアトナー版の画像データをＤＦＥ１１から受信して各画像データを対応する装置に振り分けるとともに、後処理機の制御を行う。
【００７９】
より具体的には、ＭＩＣ１２は、図１０に例示されるように、ＤＦＥ１１から出力された画像データのうちＣＭＹＫの色版の画像データをプリンタ機３１に出力し、プリンタ機３１で用いるクリアトナー版の画像データがある場合にはこれもプリンタ機３１に出力し、ＤＦＥ１１から出力されたオンオフ情報を用いて、グロッサ３２をオンまたはオフにして、低温定着機３３で用いるクリアトナー版の画像データがある場合にはこれを低温定着機３３に出力する。グロッサ３２はオンオフ情報によって定着を行う経路と行わない経路とを切り替えても良い。低温定着機３３はクリアトナー版の画像データの有無によってオンまたはオフの切り替えやグロッサ３２と同様の経路の切り替えをしても良い。
【００８０】
また、図１０に示すように、プリンタ機３１、グロッサ３２、低温定着機３３からなる印刷装置３０は、記録媒体を搬送する搬送路を備えている。なお、プリンタ機３１は、詳細には、電子写真方式の複数の感光体ドラム、感光体ドラム上に形成されたトナー像を転写される転写ベルト、転写ベルト上のトナー像を記録媒体に転写する転写装置、および記録媒体上のトナー像を該記録媒体に定着させる定着機を備える。記録媒体は、図示を省略する搬送部材によって搬送路を搬送されることで、プリンタ機３１、グロッサー８０、低温てい着機の設けられている位置を、この順に搬送される。そして、これらの機器によって順次処理が行われて画像形成および表面効果が付与された後に、図示を省略する搬送機構によって搬送路を搬送されて、印刷装置の外部へと排出される。
【００８１】
（プリンタ機の機能的構成例）
次に、プリンタ機３１の機能的構成について説明する。図１１は、実施形態に適用可能なプリンタ機３１の機能的構成を示すブロック図である。プリンタ機３１は、図１１に示すように、用紙情報管理部３０１と、光沢度計測部３０２と、凹凸情報計測部３０３と、用紙情報記憶部３０４と、用紙に画像データを印刷するエンジンである印刷部３０５とを主に備えている。
【００８２】
用紙情報記憶部３０４には、現在の印刷対象の用紙の用紙種類が記憶されている。また、用紙情報記憶部３０４には、光沢度計測部３０２で計測された用紙の光沢度、凹凸情報計測部３０３で計測された用紙の凹凸情報（平滑度）も記憶される。用紙種類、用紙の光沢度、用紙の凹凸情報が用紙情報となる。用紙情報記憶部３０４は、ＨＤＤやメモリ等の記憶媒体である。
【００８３】
光沢度計測部３０２は、用紙情報管理部３０１からの計測指示を受けて、トレイ等に収容されている用紙の光沢度を計測し、計測された光沢度を用紙情報記憶部３０４に保存する。凹凸情報計測部３０３は、用紙情報管理部３０１からの計測指示を受けて、トレイ等に収容されている用紙の平滑度を計測し、計測された平滑度を用紙の凹凸情報として用紙情報記憶部３０４に保存する。なお、用紙の光沢度の計測手法、平滑度の計測手法については公知の手法を用いる。
【００８４】
用紙情報管理部３０１は、用紙情報記憶部３０４に記憶されている用紙情報を管理する。より具体的には、用紙情報管理部３０１は、ＭＩＣ１２を介してＤＦＥ１１から、用紙情報の取得要求を受信した場合に、取得要求で用紙種類が要求されている場合には、用紙情報記憶部３０４に記憶されている現在の印刷対象の用紙種類を用紙情報としてＭＩＣ１２を介してＤＦＥ１１に送信する。
【００８５】
また、取得要求で用紙の光沢度が要求されている場合には、用紙情報管理部３０１は、光沢度計測部３０２に用紙の光沢度の計測指示を行い、この結果、用紙情報記憶部３０４に格納された用紙の光沢度を、用紙情報としてＭＩＣ１２を介してＤＦＥ１１に送信する。また、取得要求で用紙の凹凸情報が要求されている場合には、用紙情報管理部３０１は、凹凸情報計測部３０３に用紙の平滑度の計測指示を行い、この結果、用紙情報記憶部３０４に格納された用紙の凹凸情報を、用紙情報としてＭＩＣ１２を介してＤＦＥ１１に送信する。
【００８６】
（表面効果選択テーブル）
次に、表面効果選択テーブル記憶部５６１に記憶される表面効果選択テーブルについて説明する。既に説明したように、表面効果選択テーブルは、表面効果を示す光沢制御値である濃度値と、当該表面効果の種類との対応関係を示すテーブルである。それと共に、表面効果選択テーブルは、濃度値および表面効果種類の対応関係と、画像形成システムの構成に応じた後処理機に関する制御情報と、プリンタ機３１で用いるクリアトナー版データおよび後処理機で用いるクリアトナー版データとの対応関係を示す。
【００８７】
画像形成システムの構成は、様々に異なり得るが、実施形態においては、プリンタ機３１に後処理機としてグロッサ３２および低温定着機３３が接続される構成である。このため、画像形成システムの構成に応じた後処理機に関する制御情報とは、グロッサ３２のオンまたはオフを示すオンオフ情報となる。また、後処理機で用いるクリアトナー版データとしては、低温定着機３３で用いるクリアトナー版データがある。
【００８８】
実施形態では、表面効果選択テーブル記憶部５６１は、用紙種類毎に異なる表面効果選択テーブルを記憶している。実施形態では、用紙種類として、光沢度が高いコート紙、光沢度が中程度の普通紙、光沢度が低いマット紙の３種類あり、このため、コート紙用の表面効果選択テーブルと、普通紙用の表面効果選択テーブルと、マット紙用の表面効果選択テーブルとが、表面効果選択テーブル記憶部５６１に記憶されている。以下では、これら用紙種類毎の表面効果選択テーブルを、コート紙用の表面効果選択テーブルで代表させて説明を行う。
【００８９】
図１２は、コート紙用の表面効果選択テーブルのデータ構成を例示する図である。なお、表面効果選択テーブルは、異なる画像形成システムの構成毎に、後処理機に関する制御情報と、プリンタ機３１で用いるクリアトナー版１の画像データおよび後処理機で用いるクリアトナー版２の画像データと、濃度値および表面効果の種類との対応関係を示すように構成され得る。図１１は、実施形態に係る画像形成システムの構成に応じたデータ構成を例示している。
【００９０】
図１２において、表面効果の種類および濃度値の対応関係においては、濃度値の範囲毎に表面効果の各種類が対応付けられカテゴリが構成されている。また、カテゴリ内の濃度値の範囲の代表となる値（代表値）から換算される濃度の割合（濃度率）に対して２％単位で表面効果の各種類が対応付けられて、タイプが構成されている。具体的には、濃度率が８４％以上となる濃度値の範囲（「２１２」〜「２５５」）に対して光沢を与える表面効果（鏡面効果およびベタ効果）のカテゴリが対応付けられており、濃度率が１６％以下となる濃度値の範囲（「１」〜「４３」）に対して光沢を抑える表面効果（網点マットおよびつや消し）のカテゴリが対応付けられている。また、濃度率が２０％〜８０％となる濃度値の範囲には、テクスチャや地紋透かしなどの表面効果のカテゴリが対応付けられている。
【００９１】
図１２において、例えば、「２３８」〜「２５５」の画素値に対しては、表面効果のカテゴリとして鏡面光沢（PM:Premium  Gross）が対応付けられており、このうち、「２３８」〜「２４２」の画素値、「２４３」〜「２４７」の画素値および「２４８」〜「２５５」の画素値の３つの範囲に対して各々異なるタイプの鏡面光沢が対応付けられている。
【００９２】
また、「２１２」〜「２３２」の画素値に対しては、表面効果のカテゴリとしてベタ光沢(G:Gross)が対応付けられており、このうち、「２１２」〜「２１６」の画素値、「２１７」〜「２２１」の画素値、「２２２」〜「２２７」の画素値および「２２８」〜「２３２」の画素値の４つの範囲に対して各々異なるタイプのベタ光沢が対応付けられている。
【００９３】
また、「２３」〜「４３」の画素値に対しては、表面効果のカテゴリとして網点マット(M:Matt)が対応付けられており、このうち、「２３」〜「２８」の画素値、「２９」〜「３３」の画素値、「３４」〜「３８」の画素値および「３９」〜「４３」の画素値の４つの範囲に対して各々異なるタイプの網点マットが対応付けられている。また、「１」〜「１７」の画素値に対しては、表面効果のカテゴリとしてつや消し(PM:Premium  Matt)が対応付けられており、このうち、「１」〜「７」の画素値、「８」〜「１２」の画素値および「１３」〜「１７」の画素値の３つの範囲に対して各々異なるタイプのつや消しが対応付けられている。
【００９４】
これらの同一の表面効果カテゴリの異なるタイプは、プリンタ機３１や低温定着機３３で使用するクリアトナー版データを求める式に違いがあり、プリンタ本体や後処理機の動作は同じである。なお、「０」の濃度値には、表面効果を与えないことが対応付けられている。
【００９５】
また、図１２には、画素値および表面効果に対応して、グロッサ３２のオンまたはオフを示すオンオフ情報と、プリンタ機３１で用いるクリアトナー版１の画像データ（図１のＣｌｒ−１）および低温定着機３３で用いるクリアトナー版２の画像データ（図１のＣｌｒ−２）の内容とが各々示されている。例えば、表面効果が鏡面光沢である場合、グロッサ３２をオンにすることが示されると共に、プリンタ機３１で用いるクリアトナー版１の画像データは、インバースマスクを表すものであり、低温定着機３３で用いるクリアトナー版２の画像データは、ないことが示されている。
【００９６】
また、濃度値が「２２８」〜「２３２」であり表面効果のカテゴリがベタ光沢である場合、グロッサ３２をオフにすることが示されていると共に、プリンタ機３１で用いるクリアトナー版１の画像データは、インバースマスク１であり、低温定着機３３で用いるクリアトナー版２の画像データは、無いことが示されている。
【００９７】
なお、図示は省略するが、普通紙用およびマット紙用の表面効果選択テーブルの構成も、図１２に示したコート紙用の表面効果選択テーブルと同様である。用紙種類が異なる場合、各表面効果のカテゴリにおいて、濃度値と、表面効果のタイプと、後処理機に係る制御情報との組み合わせが異ならされている。
【００９８】
（表面効果に対するユーザ評価）
実施形態では、用紙種類に応じて表面効果選択テーブルに従って印刷されたクリアトナー画像に対してユーザが知覚効果の評価を行い、評価結果を、表面効果選択テーブルによる印刷制御に反映させることができる。以下、実施形態による、ユーザがクリアトナー画像に対して知覚効果の評価を行う方法について説明する。
【００９９】
先ず、テストチャート印刷部５８により、クリアトナー画像による表面効果の知覚評価のためのテストチャートを印刷する。例えば、ユーザは、操作パネル７０を操作してアカウント情報を入力する。このアカウント情報は、アカウント入力部６２から表面効果選択テーブル記憶部５６１に供給されて記憶される。また、プリンタ機３１において、ユーザにより予め、評価対象の用紙種類の用紙が準備されているものとする。ここでは、コート紙がプリンタ機３１にセットされているものとする。
【０１００】
ユーザは、アカウント情報の入力後、操作パネル７０を操作して、テストチャート印刷部５８に対してクリアトナー版によるテストチャートの印刷を依頼する。テストチャート印刷部５８は、この依頼に応じて光沢制御版データ記憶部５９からテストチャートデータを取得し、表面効果選択テーブル生成部５６４を介してクリアトナー版生成部５６３に対してテストチャート用のクリアトナー版の印刷を依頼する。
【０１０１】
図１３は、テストチャート印刷部５８により印刷されるテストチャートの例を示す。テストチャート４００ＰＧは、表面効果のカテゴリが「鏡面光沢：ＰＧ」に対応するテストチャートの例である。このように、カテゴリ「鏡面光沢」における光沢制御板の各濃度率９４％、９６％および９８％について、複数種類のγ補正を施した、クリアトナーによるパターン４０１、４０１、…を、用紙に印刷する。図１３の例では、各濃度率９４％、９６％および９８％について、それぞれ５段階のγ補正（γ１、γ２、…、γ５）を施した各パターン４０１、４０１、…が印刷されている。
【０１０２】
なお、図示は省略するが、テストチャート印刷部５８は、表面効果の各カテゴリに応じたテストチャートを印刷することができる。例えば、表面効果のカテゴリが「ベタ光沢：Ｇ」に対応するテストチャート４００Ｇでは、光沢制御板の各濃度率９０％。８８％、８６％および８４％について、それぞれ複数種類のγ補正を施した、クリアトナーによる各パターンが印刷される。同様に、図示は省略するが、表面効果のカテゴリが「網点マット：Ｍ」に対応するテストチャート４００Ｍでは、光沢制御板の各濃度率１６％、１４％、１２％および１０％について、それぞれ複数種類のγ補正を施した、クリアトナーによる各パターンが印刷される。
【０１０３】
ユーザは、印刷された例えばテストチャート４００ＰＧの印刷結果を参照して、表面効果の知覚的な評価を、操作パネル７０から入力する。図１４（ａ）は、ユーザの知覚的な評価を入力するための、操作パネル７０に表示される知覚効果入力画面４１０の例を示す。
【０１０４】
知覚効果入力画面４１０において、表示部４１１には、この知覚効果入力画面４１０から入力を行うユーザのユーザ名が表示される。ユーザ名は、ユーザにより入力されたアカウント情報に基づき取得することができる。
【０１０５】
また、知覚効果入力画面４１０において、表示部４１２には、テストチャートを印刷した用紙の用紙名が表示される。用紙名は、例えば操作パネル７０からユーザが任意に入力可能とされているものとする。評価リスト表示部４２０は、各濃度率と、各濃度率にそれぞれ対応する表面効果のカテゴリおよびタイプと、各濃度率にそれぞれ対応するユーザ評価が表示される。
【０１０６】
ユーザ評価は、例えば入力部４２２から入力されたユーザ評価値が表示部４２１に表示される。入力部４２２は、例えば、操作パネル７０において図中の三角印のボタン４２２を押圧すると、図１４（ｂ）に示されるように、評価値「高」、「中」および「低」を選択的に入力する入力部４２２ａ、４２２ｂおよび４２２ｃを有するプルダウンメニューが表示されるようになっている。
【０１０７】
ユーザは、例えば表面効果のカテゴリが「鏡面光沢」に対応するテストチャート４００ＰＧの各パターン４０１、４０１、…を見て、各濃度毎に視覚的な評価を行う。評価の結果は、操作パネル７０を操作して、「高」、「中」および「低」の３段階で入力する。評価段階は、３段階に限らず５段階などさらに多くしてもよい。評価結果を示す評価データは、操作パネル７０から知覚効果入力部６３に入力され、図示されないＲＡＭなどに一時的に記憶される。
【０１０８】
知覚効果入力画面４１０において、ボタン４１３は、押下することで入力されたユーザ評価を確定する。例えば、ボタン４１３が押下されると、ＲＡＭに一時的に記憶されている各評価データが、表面効果選択テーブル記憶部５６１に転送されて格納される。このとき、各評価データは、評価を行ったユーザを示すユーザ情報と共に対応する表面効果選択テーブルの各濃度率（または表面効果カテゴリおよびタイプ）と関連付けられて、表面効果選択テーブル記憶部５６１に記憶される。
【０１０９】
なお、ボタン４１４は、ユーザ評価を中止するためのキャンセルボタンである。ボタン４１４が押下された場合は、例えば、ユーザ評価の評価データが破棄される。
【０１１０】
クリアトナー版生成部５６３は、表面効果選択テーブル記憶部５６１に記憶される、用紙種類に対応する表面効果選択テーブルを用いてクリアトナー版を生成する。その際に、ユーザの知覚効果の評価結果に従い、カテゴリ内の各タイプの濃度値を、当該カテゴリ内で最も評価の高い（効果の高い）タイプの濃度値に置き換える。この濃度値の置き換えの要否は、カテゴリ毎に設定することができる。
【０１１１】
図１５は、操作パネル７０に表示される、クリアトナー濃度値の置き換えを設定する設定画面４３０の例を示す。設定画面４３０において、ラジオボタン４３１および４３２は、排他的に指定可能とされ、クリアトナー濃度値の置き換えの有効および無効を設定する。ラジオボタン４３１を指定し、置き換えを有効とした場合、表示部４３３のカテゴリ選択が有効になる。チェックボックス４３４を指定することで、対応する表面効果のカテゴリ「鏡面光沢」、「ベタ光沢」および「網点マット」におけるクリアトナー濃度値の置き換えが有効とされる。チェックボックス４３４は、複数を同時に指定することが可能であって、図１５の例では、カテゴリ「鏡面光沢」および「ベタ光沢」において置き換えが有効とされている。
【０１１２】
（光沢制御処理）
次に、実施形態に係る画像形成システムが行う光沢制御処理の手順について図１６を用いて説明する。ＤＦＥ１１がホスト装置１０から印刷データを受信すると（ステップＳ１１）、レンダリングエンジン５１は、これを言語解釈して、ベクター形式で表現される画像データをラスタ形式に変換すると共に、ＲＧＢ形式で表現された色空間をＣＭＹＫ形式の色空間に変換して、ＣＭＹＫの各８ビットの有色版データおよび８ビットの光沢制御版データを得る（ステップＳ１２）。
【０１１３】
この光沢制御版データの変換処理では、図４の光沢制御版データ、すなわち、図７で示したような、描画オブジェクト毎に表面効果を特定する濃度値が指定された光沢制御版データを、描画オブジェクトを構成する画素毎に濃度値が指定された光沢制御版データに変換する。
【０１１４】
すなわち、レンダリングエンジン５１は、図７で示される光沢制御版データの描画オブジェクトに対応する座標の範囲の画素に対して、描画オブジェクトに対して設定された濃度値を付与することにより、光沢制御版データを変換する。これにより、光沢制御版データは、画素毎に表面効果が設定された光沢制御版データに変換されることになる。
【０１１５】
次に、８ビット光沢制御版データが出力されたら、ＤＦＥ１１のＴＲＣ５３は、ＣＭＹＫ各色の各８ビットの有色版データに対してキャリブレーションにより生成された１Ｄ＿ＬＵＴのガンマカーブでガンマ補正を行い、ハーフトーンエンジン５５はガンマ補正後の画像データに対して、プリンタ機３１に出力するためのＣＭＹＫ各色について各２ビットの有色版データのデータ形式に変換するハーフトーン処理を行い、ハーフトーン処理後のＣＭＹＫ各色の各２ビットの有色版データを得る（ステップＳ１３）。
【０１１６】
また、ＤＦＥ１１のクリアプロセッシング５６では、表面効果選択テーブル決定部５６４によって、用紙情報に基づいて、表面効果選択テーブル記憶部５６１から、表面効果選択テーブルを選択して決定する処理を行う（ステップＳ１４）。この表面効果選択テーブルの決定処理の詳細については後述する。
【０１１７】
次に、クリアプロセッシング５６のクリアトナー版生成部５６３は、８ビットの光沢制御版データを用いて、ステップＳ１４で選択された、用紙種類に対応する表面効果選択テーブルを参照して、光沢制御版データによって示される各画素値に対して指定された表面効果を判断する。そして、クリアトナー版生成部５６３は、光沢制御版データを構成する全ての画素について、このような判断を行う。
【０１１８】
なお、光沢制御版データにおいては、各表面効果を与える領域を構成する全ての画素について基本的に同一の範囲の濃度値を表す。このため、同一の表面効果であると判断した近傍の画素については、クリアトナー版生成部５６３は、同一の表面効果を与える領域に含まれるものとして判断する。
【０１１９】
このようにして、クリアプロセッシング５６のクリアトナー版生成部５６３は、表面効果を与える領域と、当該領域に対して与える表面効果の種類とを判断する。そして、クリアトナー版生成部５６３は、当該判断に応じて、グロッサ３２のオンまたはオフを決定する（ステップＳ１５）。
【０１２０】
次に、クリアトナー版生成部５６３は、ガンマ補正後のＣＭＹＫの各８ビットの有色版データを適宜用いて、クリアトナーを付着させるための８ビットのクリアトナー版データを適宜生成する（ステップＳ１６）。そして、ハーフトーンエンジン５６は、ハーフトーン処理により、８ビットの画像データを用いた８ビットのクリアトナー版データを２ビットのクリアトナー版像データに変換する（ステップＳ１７）。
【０１２１】
次に、ＤＦＥ１１のＳｉ３部５７は、ステップＳ１３で得たハーフトーン処理後のＣＭＹＫの各２ビットの有色版データと、ステップＳ１７で生成した２ビットのクリアトナー版データとを統合し、統合した画像データと、ステップＳ１５で決定したグロッサ３２のオンまたはオフを示すオンオフ情報とをＭＩＣ１２に対して出力する（ステップＳ１８）。
【０１２２】
なお、ステップＳ１６で、クリアトナー版生成部５６３が、クリアトナー版データを生成していない場合には、ステップＳ１８では、ステップＳ１３で得たハーフトーン処理後のＣＭＹＫの各２ビットの有色版データのみが統合されてＭＩＣ１２に出力される。
【０１２３】
（表面効果選択テーブルの決定処理）
次に、ステップＳ１４における表面効果選択テーブルの決定処理の詳細について説明する。図１７は、表面効果選択テーブルの決定処理の手順を示すフローチャートである。なお、この図１７のフローチャートによる処理の開始に先立って、ユーザによりアカウント情報の入力が行われているものとする。
【０１２４】
まず、表面効果選択テーブル決定部５６４は、用紙情報がユーザにより設定されているか否かを判定する（ステップＳ２０）。若し、用紙情報がユーザにより設定されていると判定した場合には、表面効果選択テーブル決定部５６４は、処理をステップＳ２１に移行させ、ユーザ設定の用紙情報を入出力制御部５６７あるいはＲＡＭ等から取得する。なお、用紙情報は、例えば操作パネル７０に対するユーザ操作により設定することができる。ホスト装置１０が、画像データと共に用紙情報を送信するようにもできる。
【０１２５】
一方、ステップＳ２０で、用紙情報がユーザにより設定されていないと判定した場合には、処理がステップＳ２２に移行される。ステップＳ２２では、用紙情報取得部５６５が、ＭＩＣ１２を介してプリンタ機３１に用紙情報の取得要求を送信する。ここで、用紙情報の各要素について、予め優先順位をユーザ設定することができる。この場合、例えば、用紙情報取得部５６５は、用紙種類、用紙の光沢度、用紙の凹凸情報の要素のうち、ユーザにより設定された優先順位が一番高い要素の取得要求を行う。プリンタ機３１は、この用紙情報の取得要求に応じて、現在印刷対象とされている用紙から用紙情報を抽出して送信する。この用紙情報は、用紙情報取得部５６５に受信される（ステップＳ２３）。
【０１２６】
プリンタ機３１は、この用紙情報の取得要求に応じて、現在印刷対象とされている用紙の用紙情報を送信する。例えば、プリンタ機３１は、用紙情報記憶部３０４から現在の印刷対象の用紙の用紙種類を読み出して、送信することができる。また、用紙情報記憶部３０４から、光沢度計測部３０２で計測された用紙の光沢度と、凹凸情報計測部３０３で計測された用紙の凹凸情報（平滑度）とのうち何れか一方または両方を読み出して送信してもよい。上述したように、用紙の光沢度と平滑度とを組み合わせることで、用紙情報を取得することが可能である。
【０１２７】
プリンタ機３１から送信された用紙情報は、ステップＳ２３で、ＤＦＥ１１に受信され、用紙情報取得部５６５に取得される。次のステップＳ２４で、用紙情報比較部５６７は、ステップＳ２３で用紙情報取得部５６５により新規に取得された用紙情報と、既存の用紙情報とを比較する。ここで、既存の用紙情報とは、表面効果選択テーブル記憶部５６１に既に記憶されている各表面効果選択テーブルが対応する用紙情報をいう。
【０１２８】
用紙情報比較部５６７は、新規に取得した用紙情報と既存の用紙情報との比較結果に基づき、ステップＳ２５で、新規に取得した用紙情報と既存の用紙情報とが一致するか否かを判定する。若し、一致すると判定した場合、処理がステップＳ２６に移行される。ステップＳ２６の処理については後述する。
【０１２９】
一方、用紙情報比較部５６７は、ステップＳ２５で、新規に取得した用紙情報と既存の用紙情報とが一致しないと判定した場合、処理をステップＳ２７に移行させる。ステップＳ２７では、クリアトナー版生成部５６３が表面効果選択テーブル生成部５６４に対して、表面効果選択テーブルの生成を依頼する。表面効果選択テーブル生成部５６４は、この依頼に応じて、例えば各値がデフォルト値とされた表面効果選択テーブルを生成し、生成した表面効果選択テーブルを、新規に取得した用紙情報に関連付けて表面効果選択テーブル記憶部５６１に記憶させる。
【０１３０】
ここで、新規に生成された表面効果選択テーブルに対して、上述したようにして評価を行ってもよい。すなわち、新規の表面効果選択テーブルに基づきクリアトナー版のテストチャートを印刷し、印刷結果を参照して知覚効果入力画面４１０にて各評価を入力し、評価結果を当該新規の表面効果選択テーブルに関連付けて表面効果選択テーブル記憶部５６１に記憶する。
【０１３１】
ステップＳ２７の処理が終了すると、処理はステップＳ２６に移行される。ステップＳ２６では、クリアトナー版生成部５６３が、用紙情報取得部５６５に取得された用紙情報に基づき、表面効果選択テーブル記憶部５６１に記憶される表面効果選択テーブルのうち用紙情報が一致する表面効果選択テーブルを取り込む。このとき、クリアトナー版生成部５６３は、表面効果選択テーブル記憶部５６１から、表面効果置換部５６６を介して、当該表面効果選択テーブルを取り込む。
【０１３２】
次のステップＳ２８で、光沢制御版記憶部５６２は、入力された光沢制御版を記憶し、さらに次のステップＳ２９で、クリアトナー版生成部５６３は、光沢制御版記憶部５６２が記憶した光沢制御版と、表面効果選択テーブル記憶部５６１から表面効果置換部５６６を介して取り込んだ表面効果選択テーブルとに基づき、クリアトナー版を生成する。
【０１３３】
（表面効果置換部の動作）
上述のステップＳ２７における表面効果置換部５６６の動作について、図１８のフローチャートを用いて説明する。上述もしたが、表面効果置換部５６６は、表面効果選択テーブル記憶部５６１から表面効果選択テーブルを取り込む際に、当該表面効果選択テーブル関連付けられたユーザ評価の評価データが存在する場合、カテゴリ内の各タイプの濃度値を、同じカテゴリ内で最も表面効果が高い、すなわち評価結果が高い濃度値に置換する。
【０１３４】
先ず、ステップＳ３０で、クリアトナー版生成部５６３は、用紙情報取得部５６５に取得された用紙情報に基づき、表面効果置換部５６６に対して、当該用紙情報に対応する表面効果選択テーブルの取得を依頼する。表面効果置換部５６６は、この依頼に応じて、表面効果選択テーブル記憶部５６１から該当する表面効果選択テーブルを取得する。以下、ステップＳ３１〜ステップＳ３９の処理が、表面効果置換部５６６による処理となる。
【０１３５】
ステップＳ３１で、表面効果置換部５６６は、クリアトナー版生成部５６３が指定する各カテゴリの濃度値を、表面効果選択テーブルから取得する。次のステップＳ３２で、表面効果置換部５６６は、設定画面４３０などでユーザがクリアトナー濃度値の置き換え設定を有効および無効の何れに設定しているかを判定する。若し、無効に設定していると判定した場合、処理をステップＳ３９に移行させ、ステップＳ３１で取得した各カテゴリの濃度値をクリアトナー版生成部５６３に返して、表面効果取り込みを終了する。
【０１３６】
一方、ステップＳ３２でクリアトナー濃度値の置き換え設定を有効にしていると判定した場合、表面効果置換部５６６は、処理をステップＳ３３に移行させる。ステップＳ３３で、表面効果置換部５６６は、ユーザが設定画面４３０などで、表面効果のカテゴリの「鏡面光沢」について、置き換えを有効にしているか否かを判定する。若し、無効に設定していると判定した場合は、ステップＳ３１で取得したカテゴリ「鏡面光沢」の各濃度値を保持し、処理をステップＳ３５に移行させる。
【０１３７】
一方、ステップＳ３３で、カテゴリ「鏡面光沢」について、置き換えを有効に設定していると判定した場合、処理をステップＳ３４に移行させる。ステップＳ３４では、表面効果置換部５６６は、表面効果選択テーブルに関連する評価結果におけるカテゴリ「鏡面光沢」内で最も評価の高い（最も効果の高い）濃度値を取得する。そして、表面効果置換部５６６は、取得された濃度値で、表面効果選択テーブルの当該カテゴリ「鏡面光沢」内の全てのタイプの濃度値を置き換える。そして、処理をステップＳ３５に移行させる。
【０１３８】
より具体的な例を用いて説明する。例えば、用紙情報がコート紙の表面効果選択テーブルを例にとって考える。この場合、表面効果選択テーブルのカテゴリ「鏡面光沢」において、タイプＡ、タイプＢおよびタイプＣの濃度値は、それぞれ９８％、９６％および９４％である。ここで、評価結果におけるカテゴリ「鏡面光沢」のタイプＡ、タイプＢおよびタイプＣの評価がそれぞれ「低」、「高」および「中」であったとする。この場合、評価結果では、カテゴリ「鏡面光沢」のタイプＢが最も評価が高いので、表面効果置換部５６６は、このタイプＢの濃度値９６％で、表面効果選択テーブルのカテゴリ「鏡面光沢」内の全てのタイプの濃度値を置き換える。
【０１３９】
なお、１のカテゴリ中に高評価のタイプが複数、存在する場合も考えられる。この場合には、濃度値の低い方および高い方の何れか一方を、置き換えに用いる濃度値として選択する。何れの濃度値を用いるかは、カテゴリ毎に決めてもよいし、一律に何れか一方の濃度値を用いるように決めてもよい。
【０１４０】
次のステップＳ３５で、表面効果置換部５６６は、ユーザが設定画面４３０などで、表面効果のカテゴリの「ベタ光沢」について、置き換えを有効にしているか否かを判定する。若し、無効に設定していると判定した場合は、ステップＳ３１で取得したカテゴリ「ベタ光沢」の各濃度値を保持し、処理をステップＳ３７に移行させる。
【０１４１】
一方、ステップＳ３５で、カテゴリ「ベタ光沢」について、置き換えを有効に設定していると判定した場合、処理をステップＳ３６に移行させる。ステップＳ３６では、表面効果置換部５６６は、表面効果選択テーブルに関連する評価結果におけるカテゴリ「ベタ光沢」内で最も評価の高い（最も効果の高い）濃度値を取得する。そして、表面効果置換部５６６は、取得された濃度値で、表面効果選択テーブルの当該カテゴリ「ベタ光沢」内の全てのタイプの濃度値を置き換える。そして、処理をステップＳ３７に移行させる。
【０１４２】
次のステップＳ３７で、表面効果置換部５６６は、ユーザが設定画面４３０などで、表面効果のカテゴリの「網点マット」について、置き換えを有効にしているか否かを判定する。若し、無効に設定していると判定した場合は、ステップＳ３１で取得したカテゴリ「網点マット」の各濃度値を保持し、処理をステップＳ３９に移行させる。
【０１４３】
一方、ステップＳ３７で、カテゴリ「ベタ光沢」について、置き換えを有効に設定していると判定した場合、処理をステップＳ３８に移行させる。ステップＳ３８では、表面効果置換部５６６は、表面効果選択テーブルに関連する評価結果におけるカテゴリ「網点マット」内で最も評価の高い（最も効果の高い）濃度値を取得する。そして、表面効果置換部５６６は、取得された濃度値で、表面効果選択テーブルの当該カテゴリ「網点マット」内の全てのタイプの濃度値を置き換える。そして、処理をステップＳ３９に移行させる。
【０１４４】
ステップＳ３９では、ステップＳ３８までの処理で取得した各カテゴリの濃度値をクリアトナー版生成部５６３に返して、表面効果取り込みを終了する。
【０１４５】
このように、実施形態によれば、用紙種類に応じた表面効果のカテゴリ内の各濃度値を、ユーザによる知覚効果の評価結果が最も高いタイプの濃度値に置き換えている。そのため、印刷を行う用紙種類に対して適切なクリアトナー濃度値を、その都度ユーザの手を煩わすことなく、容易に設定することができる。
【０１４６】
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１４７】
１０  ホスト装置
１１  ＤＦＥ
１２  ＭＩＣ
３１  プリンタ機
３２  グロッサ
３３  低温定着器
５１  レンダリングエンジン
５２  ｓｉ１部
５３  ＴＲＣ
５４  ｓｉ２部
５５  ハーフトーンエンジン
５６  クリアプロセッシング部
５７  ｓｉ３部
５８  テストチャート印刷部
５９  光沢制御版データ記憶部
６０  用紙表示部
６１  表見効果選択テーブル表示部
６２  アカウント入力部
６３  知覚効果入力部
７０  操作パネル
３０１  用紙情報管理部
３０４  用紙情報記憶部
３０５  印刷部
４００ＰＧ，４００Ｇ，４００Ｍ  テストチャート
４０１  パターン
４１０  知覚効果入力画面
４２０  評価リスト表示部
４３０  設定画面
５６１  表面効果選択テーブル記憶部
５６２  光沢制御版記憶部
５６３  クリアトナー版生成部
５６４  表面効果選択テーブル生成部
５６５  用紙情報取得部
５６６  表面効果置換部
５６７  用紙情報比較部
【先行技術文献】
【特許文献】
【０１４８】
【特許文献１】特開２０１１−１５０１５８号公報
【特許文献２】特開２０１１−４３６８３号公報
【図１】
0006007564.tif 000002
【図２】
0006007564.tif 000003
【図３】
0006007564.tif 000004
【図４】
0006007564.tif 000005
【図５】
0006007564.tif 000006
【図６】
0006007564.tif 000007
【図７】
0006007564.tif 000008
【図８】
0006007564.tif 000009
【図９】
0006007564.tif 000010
【図１０】
0006007564.tif 000011
【図１１】
0006007564.tif 000012
【図１２】
0006007564.tif 000013
【図１４】
0006007564.tif 000014
【図１５】
0006007564.tif 000015
【図１６】
0006007564.tif 000016
【図１７】
0006007564.tif 000017
【図１８】
0006007564.tif 000018
【図１３】
0006007564.tif 000019